(57)【要約】【課題】香噴出器、スピーカー、ディスプレイを収容した電子機器を提供する。【解決手段】画像が表示される表示面と、前記表示面の反対側の背面と、を有するディスプレイと、前記背面に位置する平面スピーカーと、前記背面と対向する香噴出器と、前記ディスプレイ、前記平面スピーカー、及び、前記香噴出器を収容するケースと、を備える電子機器。【選択図】  図３
2020118799.tif 000002
【特許請求の範囲】
【請求項１】
画像が表示される表示面と、前記表示面の反対側の背面と、を有するディスプレイと、
前記背面に位置する平面スピーカーと、
前記背面と対向する香噴出器と、
前記ディスプレイ、前記平面スピーカー、及び、前記香噴出器を収容するケースと、を備える電子機器。
【請求項２】
前記ケースは、前記ディスプレイ及び前記香噴出器を囲む第１側壁を有する第１ケースと、前記表示面の少なくとも一部を露出する開口部が設けられた第２ケースと、を備え、
前記第１ケースは、前記第１側壁を貫通する第１スリットを有する、請求項１に記載の電子機器。
【請求項３】
前記第２ケースは、前記第１側壁の外側に位置する第２側壁を有し、
前記第１スリットの少なくとも一部は、前記第２側壁と重ならない位置に設けられている、請求項２に記載の電子機器。
【請求項４】
さらに、前記第１側壁と前記第２側壁との間に位置するフレームを備え、
前記フレームは、前記第１スリットの少なくとも一部と重なる第２スリットを有する、請求項３に記載の電子機器。
【請求項５】
さらに、前記第２ケースの上板に設けられたスイッチと、
前記スイッチに一体的に形成された棒状のレバーと、を備える、請求項２乃至４の何れか１項に記載の電子機器。
【請求項６】
さらに、前記スイッチの上に重ねて設けられたつまみを備える、請求項５に記載の電子機器。
【請求項７】
さらに、前記香噴出器と前記ディスプレイとの間に位置する仕切り板を備える、請求項１乃至６の何れか１項に記載の電子機器。
【請求項８】
前記仕切り板は、前記ケースと一体に形成されている、請求項７に記載の電子機器。
【請求項９】
前記仕切り板は、前記平面スピーカーを収容する凹部を有する、請求項７又は８に記載の電子機器。
【請求項１０】
前記香噴出器から噴出された香気を拡散するファンを備える、請求項１乃至９の何れか１項に記載の電子機器。
【請求項１１】
前記ケースの上板に位置し前記表示面の少なくとも一部を露出する開口部と、
前記開口部に位置する透明なカバーと、
前記カバー上に配置される媒体のデータを読み取るセンサと、を備える、請求項１乃至１０の何れか１項に記載の電子機器。
【請求項１２】
前記平面スピーカーは、前記背面に貼付されている、請求項１乃至１１の何れか１項に記載の電子機器。
【請求項１３】
前記香噴出器は、前記背面の略全域と重畳する、請求項１乃至１２の何れか１項に記載の電子機器。
【請求項１４】
前記香噴出器は、前記背面の７０％以上と重畳する、請求項１３に記載の電子機器。
【請求項１５】
前記ケースは側壁を有し、
前記香噴出器から噴出された香気は、前記側壁から噴出される、請求項１乃至１４の何れか１項に記載の電子機器。
【請求項１６】
画像が表示される表示面と、前記表示面の反対側の背面と、を有するディスプレイと、
前記背面に位置する平面スピーカーと、
香噴出器と、
前記ディスプレイ、前記平面スピーカー、及び、前記香噴出器を収容し、前記表示面と重畳する開口部を有するケースと、を備え、
前記ディスプレイは、前記開口部と重なる位置に配置され、
前記香噴出器は、平面視で前記ディスプレイと重畳しない領域を含む、電子機器。
【請求項１７】
前記香噴出器は、平面視で前記ディスプレイと隣り合う、請求項１６に記載の電子機器。
【請求項１８】
前記ケースの前記表示面と対向する部分の少なくとも一部は、透明である、請求項１乃至１７の何れか１項に記載の電子機器。
【請求項１９】
画像が表示される表示面と、前記表示面の反対側の背面と、を有するディスプレイと、
前記背面と対向し前記背面の略全域と重なる香噴出器と、
前記ディスプレイの厚さよりも厚さが小さいスピーカーと、を備える電子機器。
【請求項２０】
前記ディスプレイと前記香噴出器と前記スピーカーとを収容するケースをさらに備え、
前記スピーカーは、前記ディスプレイと前記香噴出器との間に位置し、
前記香噴出器から噴出された香気は、前記ケースの側壁から噴出される、請求項１９に記載の電子機器。
【発明の詳細な説明】
【技術分野】
【０００１】
本発明の実施形態は、電子機器に関する。
【背景技術】
【０００２】
ディスプレイの背面に香り噴出機構が位置する携帯通信端末が開示されている。この携帯通信端末は、ディスプレイに表示された画像データに対応して、複数の香りの中から任意の香りを発生させることができる。携帯通信端末は、異なる香りを発する香料が充填された香料カートリッジと、香料カートリッジの情報が香りデータとして記憶されたメモリと、指定された香りに基づいて香りデータを検索して香料カートリッジを特定する制御部等を有している。
【先行技術文献】
【特許文献】
【０００３】
【特許文献１】特開２０１０−１３６２６６号公報
【発明の概要】
【発明が解決しようとする課題】
【０００４】
本実施形態の目的は、香噴出器、スピーカー、ディスプレイを収容した電子機器を提供することにある。
【課題を解決するための手段】
【０００５】
本実施形態によれば、画像が表示される表示面と、前記表示面の反対側の背面と、を有するディスプレイと、前記背面に位置する平面スピーカーと、前記背面と対向する香噴出器と、前記ディスプレイ、前記平面スピーカー、及び、前記香噴出器を収容するケースと、を備える電子機器が提供される。
本実施形態によれば、画像が表示される表示面と、前記表示面の反対側の背面と、を有するディスプレイと、前記背面に位置する平面スピーカーと、香噴出器と、前記ディスプレイ、前記平面スピーカー、及び、前記香噴出器を収容し、前記表示面と重畳する開口部を有するケースと、を備え、前記ディスプレイは、前記開口部と重なる位置に配置され、前記香噴出器は、平面視で前記ディスプレイと重畳しない領域を含む、電子機器が提供される。
【図面の簡単な説明】
【０００６】
【図１】図１は、本実施形態の電子機器の構成を示す斜視図である。
【図２】図２は、図１に示した電子機器の分解斜視図である。
【図３】図３は、図１に示したＩ−Ｉ’線における電子機器を示す断面図である。
【図４】図４は、第１実施形態に係る電子機器の第１変形例を示す断面図である。
【図５】図５は、第１実施形態に係る電子機器の第２変形例を示す断面図である。
【図６】図６は、第１実施形態に係る電子機器の第３変形例を示す断面図である。
【図７】図７は、電子機器の第２実施形態を示す平面図である。
【図８】図８は、電子機器の一構成例を示すブロック図である。
【図９】図９は、電子機器における画像、音、香りの出力動作を説明するためのフローチャートである。
【発明を実施するための形態】
【０００７】
以下、本実施形態について、図面を参照しながら説明する。なお、開示はあくまで一例に過ぎず、当業者において、発明の主旨を保っての適宜変更について容易に想到し得るものについては、当然に本発明の範囲に含有されるものである。また、図面は、説明をより明確にするため、実際の態様に比べて、各部の幅、厚さ、形状等について模式的に表される場合があるが、あくまで一例であって、本発明の解釈を限定するものではない。また、本明細書と各図において、既出の図に関して前述したものと同一又は類似した機能を発揮する構成要素には同一の参照符号を付し、重複する詳細な説明を適宜省略することがある。
【０００８】
図１は、本実施形態の電子機器１の構成を示す斜視図である。本実施形態の電子機器１は、画像の表示機能、音声の出力機能、香噴出機能を一体的に備えるものである。
一例では、第１方向Ｘ、第２方向Ｙ、及び、第３方向Ｚは、互いに直交しているが、９０度以外の角度で交差していても良い。本明細書において、第３方向Ｚを示す矢印の先端に向かう方向を上方（あるいは、単に上）と称し、矢印の先端から逆に向かう方向を下方（あるいは、単に下）と称する。
【０００９】
電子機器１は、第１ケースＣＳ１及び第２ケースＣＳ２によって構成されたケースＣＳと、フレームＦＲと、固定軸２と、枠３と、カバー４と、スイッチＳＷ及びつまみ６と、レバー５と、を備えている。
【００１０】
ケースＣＳは、第１ケースＣＳ１の外側に第２ケースＣＳ２が被さった箱状に形成されている。第１ケースＣＳ１は、外方に突出したフランジ部ＦＬを有している。フランジ部ＦＬは、第１ケースＣＳ１の外周に連続して形成されている。フレームＦＲは、フランジ部ＦＬの上に配置され、フランジ部ＦＬと第２ケースＣＳ２との間の隙間から露出している。また、電子機器１は、フランジ部ＦＬと第２ケースＣＳ２との間の隙間から露出した複数のスリットＳＬを有している。後述するが、スリットＳＬは、フレームＦＲ及び第１ケースＣＳ１に形成されている。ケースＣＳの内部で噴出された香気は、このスリットＳＬから電子機器１の外方に拡散される。
【００１１】
固定軸２、枠３、カバー４は、互いに固定され、第２ケースＣＳ２の上板２１に固定されている。固定軸２及び枠３は、上板２１より上方に突き出ている。カバー４が位置する領域は、画像が表示される表示領域ＤＡに相当する。また、カバー４の上は、媒体である円盤状の透明ディスク１００（図２に記載）を載置する領域に相当する。
【００１２】
スイッチＳＷ及びつまみ６は、第２ケースＣＳ２の上板２１の上に設けられている。スイッチＳＷ及びつまみ６は、同軸的に回転する円柱状に形成されている。スイッチＳＷによって、電子機器１の電源をオンまたはオフに切り替えることができる。レバー５は、棒状に形成され、スイッチＳＷに一体的に形成されている。レバー５によって、スイッチＳＷの切り替えの回転動作を容易にすることができる。つまみ６は、スイッチＳＷの上に重ねて設けられている。つまみ６によって、例えば、香りの強弱又は音の強弱を調整することができる。
【００１３】
図２は、図１に示した電子機器１の分解斜視図である。  
電子機器１は、上記した構成に加えて、香噴出器２００と、平面スピーカー１０と、ディスプレイＤＳＰと、センサ７と、を備えている。
【００１４】
第１ケースＣＳ１は、上方が開口した箱状に形成されている。また、第１ケースＣＳ１は、底板１１と、底板１１から立ち上がった側壁（第１側壁）１２Ａ、１２Ｂ、１２Ｃ，１２Ｄと、を有している。側壁１２Ａ及び１２Ｂは、第２方向Ｙに延出し第１方向Ｘに互いに対向している。側壁１２Ｃ及び１２Ｄは、第１方向Ｘに延出し第２方向Ｙに互いに対向している。側壁１２Ａ乃至１２Ｄは、それぞれ、香噴出器２００から噴出された香気をケースＣＳの外側に排出するための第１スリットＳＬ１を有している。第１スリットＳＬ１は、側壁１２Ａ乃至１２Ｄを貫通している。また、側壁１２Ａ乃至１２Ｄは、ディスプレイＤＳＰを保持するために内側に突出したガイド部１４を有している。ガイド部１４は、側壁１２Ａ乃至１２Ｄに亘って連続しており、ディスプレイＤＳＰは、ガイド部１４上に配置される。フランジ部ＦＬは、側壁１２Ａ乃至１２Ｄよりも外方に突出している。
【００１５】
フレームＦＲは、連続した第１部分ＦＲ１、第２部分ＦＲ２、第３部分ＦＲ３、第４部分ＦＲ４から構成されている。第１部分ＦＲ１及び第２部分ＦＲ２は、第２方向Ｙに延出し第１方向Ｘに互いに対向している。第３部分ＦＲ３及び第４部分ＦＲ４は、第１方向Ｘに延出し第２方向Ｙに互いに対向している。第１部分ＦＲ１乃至第４部分ＦＲ４は、それぞれ、第１ケースＣＳ１の側壁１２Ａ乃至１２Ｄの外側に配置される。フレームＦＲが第１ケースＣＳ１の内側に位置し、第１部分ＦＲ１乃至第４部分ＦＲ４にディスプレイＤＳＰを支持するガイド部１４が設けられる構造にしても良い。第１部分ＦＲ１乃至第４部分ＦＲ４は、それぞれ香噴出器２００から噴出された香気をケースＣＳの外側に排出するための第２スリットＳＬ２を有している。なお、後述するが、第１ケースＣＳ１の第１スリットＳＬ１及びフレームＦＲの第２スリットＳＬ２は、重なるように形成されている。図示した例では、第１スリットＳＬ１及び第２スリットＳＬ２の形状は、長孔状であるが、円状であっても良いし、その他の形状であっても良い。フレームＦＲは、例えば、金属、樹脂等によって形成されている。
【００１６】
ディスプレイＤＳＰは、画像が表示される表示面ＳＦ１と、表示面ＳＦ１の反対側の背面ＳＦ２と、を有している。表示面ＳＦ１の全面に画像を表示する機能が設けられても良いし、図1に示す表示領域ＤＡに相当する部分を含む表示面ＳＦ１の一部に画像を表示する機能が設けられても良い。本実施形態の電子機器１には、例えば、既存のディスプレイＤＳＰが用いられても良い。ディスプレイＤＳＰは、例えば液晶パネルを用いたディスプレイである。ディスプレイＤＳＰは、有機エレクトロルミネッセンス、マイクロＬＥＤ、電気泳動素子、ＭＥＭＳ（Micro Electro Mechanical Systems）、エレクトロクロミズムなどを用いたディスプレイであっても良い。また、図２に示すディスプレイＤＳＰは、上記ディスプレイを具備した携帯端末、上記ディスプレイと通信機能とを具備した携帯通信端末であっても良い。さらに、電子機器１は、ディスプレイＤＳＰを着脱可能な構成にしても良い。
【００１７】
香噴出器２００は、第１ケースＣＳ１の底板１１の上に設置される。香噴出器２００は、ディスプレイＤＳＰの背面ＳＦ２と対向している。香噴出器２００の詳細な構成については後述する。
【００１８】
平面スピーカー１０は、ディスプレイＤＳＰの背面ＳＦ２に位置し、ディスプレイＤＳＰと香噴出器２００との間に位置している。平面スピーカー１０は、ディスプレイＤＳＰの背面ＳＦ２に貼付されている構造にしても良い。平面スピーカー１０は、ディスプレイＤＳＰの全面を振動させることによって、音を出すことができる。図示した例では、２つの平面スピーカー１０がディスプレイＤＳＰに貼付されているが、平面スピーカー１０は１つであっても良い。又は、２つの平面スピーカー１０のうち、１つがディスプレイＤＳＰに貼付され、もう１つはディスプレイＤＳＰに貼付されていなくても良い。例えば、平面スピーカー１０の厚さは、ディスプレイＤＳＰの厚さよりも小さく形成される。
【００１９】
枠３は、リング状に形成されている。枠３は、全周に亘って外側に突出したフランジ部４１を有している。カバー４は、円盤状であり、中央に貫通孔Ｈ１を有している。カバー４は、開口部ＯＰに位置し枠３の内側に設けられている。カバー４によってディスプレイＤＳＰの表示面ＳＦ１を保護することができる。カバー４は、透明なガラスや樹脂等の材料を用いて形成されている。固定軸２は、カバー４の貫通孔Ｈ１と対向する位置に設けられ、貫通孔Ｈ１を貫通している。
【００２０】
カバー４の上には、透明ディスク１００が載置されても良い。透明ディスク１００は、中央に貫通孔Ｈ２を有しており、固定軸２が貫通孔Ｈ２を通るように載置される。透明ディスク１００は、透明であるため、表示領域ＤＡに映し出された画像を透明ディスク１００上から視認することができる。透明ディスク１００は、画像、音、香りのデータが格納された記憶部８を有している。本データに基づいて電子機器１が駆動され、関連する画像、音、香りが同時に出力される。また、透明ディスク１００を交換することで、異なる画像、音、香りのパターンを出力することが可能である。記憶部８は、例えば、ＲＦＩＤタグ、二次元コードなどである。
【００２１】
センサ７は、カバー４上に配置されている。センサ７は、カバー４上に配置された透明ディスク１００の記憶部８に書き込まれたデータを読み取ることができる。センサ７は、例えば、透明ディスク１００に埋め込まれたＲＦＩＤタグを読み取るセンサであっても良いし、透明ディスク１００に書かれた二次元コードを読み取るセンサであっても良い。なお、センサ７は、カバー４ではなく、他の部材に設けられていても良い。センサ７は、例えば、ディスプレイＤＳＰ、第２ケースＣＳ２、枠３、レバー５など透明ディスク１００の周辺に位置する部材に設けられても良い。また、センサ７は、透明ディスク１００に接触してデータを読み取るタイプのものであっても良いし、透明ディスク１００から離間した状態でデータを読み取るタイプのものであっても良い。
【００２２】
第２ケースＣＳ２は、下方が開口した箱状に形成されている。第２ケースＣＳ２は、上板２１と、側壁（第２側壁）２２Ａ、２２Ｂ、２２Ｃ、２２Ｄと、を有している。側壁２２Ａ及び２２Ｂは、第２方向Ｙに延出し第１方向Ｘに互いに対向している。側壁２２Ｃ及び２２Ｄは、第１方向Ｘに延出し第２方向Ｙに互いに対向している。側壁２２Ａ乃至２２Ｄは、それぞれ第１部分ＦＲ１乃至第４部分ＦＲ４の外側に配置される。第２ケースＣＳ２は、表示面ＳＦ１と重畳する開口部ＯＰを有している。詳述すれば、第２ケースＣＳ２は、上板２１に位置し表示面ＳＦ１の少なくとも一部を露出する開口部ＯＰを有している。図示した例では、開口部ＯＰは、側壁２２Ｂよりも側壁２２Ａ側に位置している。図１に示したように、開口部ＯＰには、一体化された固定軸２、枠３、カバー４がはめ込まれる。ディスプレイＤＳＰに表示される画像は、開口部ＯＰから視認される。第２ケースＣＳ２は、例えば、ディスプレイＤＳＰに表示される画像を外方からより広く視認できるように透明又は半透明であっても良い。第２ケースＣＳ２の上板２１を、透明又は半透明にしても良い。例えば、第２ケースＣＳ２の、詳述すれば第２ケースＣＳ２の上板２１の、表示面ＳＦ１と対向する部分の少なくとも一部を、透明又は半透明にしても良い。第２ケースＣＳ２を透明又は半透明にすることで、表示面ＳＦ１の開口部ＯＰと重畳しない領域に表示される画像も、視認できるようになる。スイッチＳＷ及びつまみ６は、側壁２２Ａよりも側壁２２Ｂ側に位置し、側壁２２Ｃよりも側壁２２Ｄ側に位置している。レバー５は、開口部ＯＰと重なる位置まで延出している。
【００２３】
図３は、図１に示したＩ−Ｉ’線における電子機器１を示す断面図である。  
ケースＣＳは、ディスプレイＤＳＰ、平面スピーカー１０、香噴出器２００を収容している。第１ケースＣＳ１の側壁１２は、ディスプレイＤＳＰ及び香噴出器２００を囲んでいる。第２ケースＣＳ２の側壁２２は、側壁１２の外側に位置している。側壁１２及び側壁２２によってケースＣＳの側壁４２が形成されている。香噴出器２００から噴出された香気は、側壁４２から噴出される。フレームＦＲは、側壁１２と側壁２２との間に位置している。第２スリットＳＬ２は、第１スリットＳＬ１の少なくとも一部と第１方向Ｘに重なっている。第１スリットＳＬ１の少なくとも一部は、側壁２２と第１方向Ｘに重ならない位置に設けられている。同様に、第２スリットＳＬ２の少なくとも一部は、側壁２２と第１方向Ｘに重ならない位置に設けられている。第２ケースＣＳ２は、第１ケースＣＳ１と突き当たる、又は第１ケースＣＳ１の側壁１２とフレームＦＲとに突き当たる、スペーサＳＰを備えている。そのため、スペーサＳＰの高さ分だけフレームＦＲ及び第２スリットＳＬ２が外方に露出する。図３において、スペーサＳＰは、側壁２２に沿って位置している。スペーサＳＰは環状の形状を有していても良い。スペーサＳＰは複数個備えられ、複数個のスペーサＳＰの各々が、上板２１の４辺の各々に沿って、側壁２２近傍に位置していても良い。複数個のスペーサＳＰの各々が、上板２１の一部に、例えば上板２１の４隅に、設けられても良い。
【００２４】
香噴出器２００は、例えば、複数の香りカートリッジを備えている。例えば、第１ケースＣＳ１の底板１１は、開閉可能なフタ１５を有しており、フタ１５を開けて香りカートリッジを交換することができる。又は、香りカートリッジには、例えば、アロマオイルを収容するスペースがあり、アロマオイルを外から補充することができる。
【００２５】
固定軸２は、ディスプレイＤＳＰの表示面ＳＦ１から離間している。枠３は、第２ケースＣＳ２の上板２１に、詳述すれば上板２１の開口部ＯＰの縁に、下からはめ込まれており、フランジ部４１が上板２１に貼り付けられている。
【００２６】
本実施形態によれば、電子機器１は、ディスプレイＤＳＰ、ディスプレイＤＳＰに貼付された平面スピーカー１０、香噴出器２００を備えている。ディスプレイ、香噴出器、スピーカーを１つの筐体内に配置する場合、香噴出器と所定の厚さを有するスピーカーとを並列してディスプレイの背面側に配置する必要があった。従って、香噴出器と所定の厚さを有するスピーカーとを配置するスペースを筐体が備えることになり、例えば平面的に見た筐体の面積（底板１１の面積）増大や、筐体の厚さ増大など、筐体が大型化してしまうという問題が生じていた。本実施形態では、スピーカーとして平面スピーカー１０を用いるため、ディスプレイＤＳＰの下方のスペースを拡大することができる。よって、ディスプレイＤＳＰの広域と対向する香噴出器２００を配置することができる。換言すれば、香噴出器２００は、ディスプレイＤＳＰの表示面ＳＦ１の略全域、あるいは背面ＳＦ２の略全域と重畳して配置することができる。例えば、表示面ＳＦ１の７０％以上、あるいは背面ＳＦ２の７０％以上と、香噴出器２００を重畳させる構造が好適である。上述の構造にすることで、本実施形態では、香噴出器２００の大型化、香噴出器２００の長寿命化、複数種類の香噴出器２００の配置などが可能となる。また、香噴出器２００の周囲の全方向に香気の流れを遮る部材が配置されていないため、香りの噴出を高効率化することができる。
【００２７】
図４は、第１実施形態に係る電子機器１の第１変形例を示す断面図である。図４に示す例は、図３に示した例と比較して、電子機器１が、香噴出器２００とディスプレイＤＳＰとの間に位置する仕切り板２０を備える点で相違している。  
仕切り板２０は、ガイド部１４の下に貼付されている。仕切り板２０が香噴出器２００の上方に配置されることによって、香噴出器２００から噴出された香気がディスプレイＤＳＰに当たることを抑制することができる。すなわち、香気に含まれる水分や化学物質等によって、ディスプレイＤＳＰが劣化することを抑制することができる。仕切り板２０は、例えば、樹脂、ポリカーボネート、アクリルなどを用いて形成される。
【００２８】
図５は、第１実施形態に係る電子機器１の第２変形例を示す断面図である。図５に示す例は、図４に示した例と比較して、仕切り板２０が第１ケースＣＳ１と一体に形成されている点で相違している。  
仕切り板２０と第１ケースＣＳ１を同一材料によって形成することができる。そのため、仕切り板２０を形成する別部材が不要である。また、仕切り板２０は、平面スピーカー１０を収容する凹部４０を有している。なお、凹部４０は、形成されていなくても良く、平面スピーカー１０が仕切り板２０に接していても良い。
【００２９】
図６は、第１実施形態に係る電子機器１の第３変形例を示す断面図である。図６に示す例は、図４に示した例と比較して、電子機器１がファン５０を備えている点で相違している。  
電子機器１は、香噴出器２００の周辺に位置するファン５０を備えている。ファン５０によって、香噴出器２００から噴出された香気をケースＣＳの外に拡散し易くすることができる。図示した例では、ファン５０は、仕切り板２０に設置されている。このようにファン５０が香噴出器２００の上方に設置されることで、香噴出器２００の全周に、より均一に香気を送ることができる。なお、ファン５０が設置される場所は、この例に限らず、ファン５０は香噴出器２００内に設けられていても良いし、第１ケースＣＳ１に設けられていても良い。
【００３０】
図７は、電子機器１の第２実施形態を示す平面図である。  
ディスプレイＤＳＰは、開口部ＯＰと重なる位置に配置されている。ディスプレイＤＳＰに表示された画像は、開口部ＯＰから視認されるため、ディスプレイＤＳＰは、少なくとも開口部ＯＰの全域と重なる大きさであれば良い。香噴出器２００は、平面視でディスプレイＤＳＰと第１方向Ｘに隣り合っている。すなわち、香噴出器２００は、平面視でディスプレイＤＳＰが位置しない領域に配置されている。そのため、香噴出器２００を配置する第３方向Ｚのスペースを増大することができる。従って、香噴出器２００の大型化、香噴出器２００の長寿命化が可能となる。なお、香噴出器２００は、ディスプレイＤＳＰと重畳する領域と、ディスプレイＤＳＰと重畳しない領域（図７に示す香噴出器２００の位置）とに跨って、配置されても良い。香噴出器２００の内、ディスプレイＤＳＰと重畳しない領域に位置する部分を厚く形成することが可能となる。また、香噴出器２００を複数個配置し、複数個の香噴出器２００は、ディスプレイＤＳＰと重畳する領域に位置する第１香噴出器と、ディスプレイＤＳＰと重畳しない領域に位置し、該第１香噴出器よりも厚さが大きい第２香噴出器と、を含む構造にしても良い。
【００３１】
図８は、電子機器１の一構成例を示すブロック図である。  
電子機器１は、制御部３０、読取部３１、発香部３２、スピーカー部３３、表示部３４、メモリ３５、操作部３６などを備えている。
【００３２】
制御部３０は、画像、香り、音の出力に際して電子機器１を構成する各部の制御を行う。読取部３１は、図２に示した透明ディスク１００のデータを読み取る機構であり、センサ７を含んでいる。読取部３１は、制御部３０による制御に基づいて、カバー４上に載置された透明ディスク１００のデータを読み取る。発香部３２は、電子機器１から香りを噴出する機構であり、図２に示した香噴出器２００を含んでいる。発香部３２は、制御部３０による制御に基づいて、香噴出器２００を駆動し香りカートリッジ内の香り成分を気化させて拡散させる。スピーカー部３３は、電子機器１から音声を出力する機構であり、図２に示した平面スピーカー１０を含んでいる。スピーカー部３３は、制御部３０による制御に基づいて、平面スピーカー１０を駆動する。表示部３４は、表示領域ＤＡに画像を表示する機構であり、図２に示したディスプレイＤＳＰを含んでいる。表示部３４は、制御部３０による制御に基づいて、ディスプレイＤＳＰに画像を表示する。メモリ３５は、電子機器１の制御に必要な画像、音、香りの制御データなどを記憶している。操作部３６は、図２に示したスイッチＳＷ及びつまみ６を含んでいる。操作部３６は、制御部３０による制御に基づいて、利用者による各種操作の入力を受け付ける。図８に示す制御部３０、読取部３１、発香部３２、スピーカー部３３、表示部３４、メモリ３５、操作部３６の各ブロック間における信号やデータの送受信は、無線で行っても良いし、各ブロック間をケーブルやＦＰＣ（フレキシブルプリント配線基板）を用いて接続し、有線で行っても良い。信号やデータの送受信を無線で行うブロック間と、有線で行うブロック間とが、混在する構造にしても良い。
【００３３】
次に、電子機器１において、画像、音、香りを出力する動作について図８及び図９を参照しながら説明する。  
図９は、電子機器１における画像、音、香りの出力動作を説明するためのフローチャートである。  
制御部３０は、スイッチＳＷがＯＮされたか否かを判断する（ＳＴ１）。そして、制御部３０は、スイッチＳＷがＯＮされたと判断したのに基づいて（ＳＴ１、ＹＥＳ）、読取部３１を制御する。読取部３１は、センサ等を駆動して透明ディスクの記憶部からデータを読み取る（ＳＴ２）。制御部３０は、データの読み取りが正常に行われたか否かを判断する（ＳＴ３）。そして、制御部３０は、データの読み取りが正常に行われたと判断したのに基づいて（ＳＴ３、ＹＥＳ）、メモリ３５から必要な制御データの読み出しを行う（ＳＴ４）。制御部３０は、読み出した制御データに基づいて、発香部３２、スピーカー部３３、表示部３４の制御を行う（ＳＴ５）。発香部３２は、例えば、透明ディスクから読み出された香りのデータと対応した香りカートリッジから香気を拡散するように制御部３０によって制御される。スピーカー部３３は、透明ディスクから読み出された音声データと対応した音声データをメモリ３５から選択し再生するように制御部３０によって制御される。表示部３４は、透明ディスクから読み出された画像データと対応した画像データをメモリ３５から選択しディスプレイに表示するように制御部３０によって制御される。以上のようなステップにより電子機器１の画像、音、香りが出力される。
【００３４】
以上説明したように、本実施形態によれば、香噴出器、スピーカー、ディスプレイを収容した電子機器を得ることができる。
【００３５】
なお、本発明のいくつかの実施形態を説明したが、これらの実施形態は、例として提示したものであり、発明の範囲を限定することは意図していない。これらの新規な実施形態は、その他の様々な形態で実施されることが可能であり、発明の要旨を逸脱しない範囲で、種々の省略、置き換え、変更を行うことができる。これらの実施形態やその変形は、発明の範囲や要旨に含まれるとともに、特許請求の範囲に記載された発明とその均等の範囲に含まれる。
【符号の説明】
【００３６】
１…電子機器、ＤＳＰ…ディスプレイ、ＳＦ１…表示面、ＳＦ２…背面、
１０…平面スピーカー、２００…香噴出器、ＣＳ…ケース、
ＣＳ１…第１ケース、ＣＳ２…第２ケース、ＯＰ…開口部、
１２、２２…側壁、ＳＬ１…第１スリット、ＳＬ２…第２スリット、
ＳＷ…スイッチ、６…つまみ、ＦＲ…フレーム、２０…仕切り板、４０…凹部、
５０…ファン、４…カバー、７…センサ。
【図１】
2020118799.tif 000003
【図２】
2020118799.tif 000004
【図３】
2020118799.tif 000005
【図４】
2020118799.tif 000006
【図５】
2020118799.tif 000007
【図６】
2020118799.tif 000008
【図７】
2020118799.tif 000009
【図８】
2020118799.tif 000010
【図９】
2020118799.tif 000011